(57)【要約】【課題】  筐体の貫通穴において進退移動するスイッチのシャフトをスムーズに移動させることができ、スイッチの操作性をより向上させることのできるガイド部材を提供する。【解決手段】  ガイド部材１は、シャーシＣに形成された貫通孔２６を貫通する、操作スイッチ２１のシャフト２３を支持するためのものであって、操作スイッチ２１のシャフト２３を貫通させる略リング状の本体部２と、本体部２からシャフト２３の押圧操作方向に延び、かつ一端において外側に突出した爪部６が形成された第１延出部５とを有し、本体部２の直径は、貫通孔２６の直径より大とされ、本体部２の下面と、第１延出部５の一端に形成された爪部６の上面との間の距離は、シャーシＣの厚みより大とされている。【選択図】  図１
2006012653.tif 000002
【特許請求の範囲】
【請求項１】
筐体に形成された貫通孔を貫通する、操作スイッチのシャフトを支持するためのガイド部材であって、
前記操作スイッチのシャフトを貫通させる略リング状の本体部と、
前記本体部から前記シャフトの押圧操作方向に延び、かつ一端において外側に突出した爪部が形成された延出部とを有し、
前記本体部の直径は、前記貫通孔の直径より大とされ、
前記本体部の下面と、前記延出部の一端に形成された爪部の上面との間の距離は、前記筐体の厚みより大とされていることを特徴とする、ガイド部材。
【請求項２】
前記延出部は、弾性変形可能に構成されている、請求項１に記載のガイド部材。
【請求項３】
前記延出部の内面は、前記本体部の内周面と面一に形成されている、請求項１又は２に記載のガイド部材。
【発明の詳細な説明】
【技術分野】
【０００１】
本願発明は、例えば、ＤＶＤプレイヤ等の筐体に設けられる操作スイッチのガイド部材に関するものである。
【背景技術】
【０００２】
従来、例えばＤＶＤ（digital versatile disc）プレイヤ等のオーディオ装置においては、その動作の設定を行うための複数の操作スイッチが設けられている。操作スイッチは、例えばスイッチ本体部と、それから延びたシャフトとによって構成され、シャフトの先端がユーザによって押圧操作されることにより、シャフトの変位がスイッチ本体部に伝達され、スイッチ本体部において押圧されたことが検知されるようになっている。このような操作スイッチにおいては、操作押圧時の押圧操作方向と直交する方向におけるがたつきを抑制する目的でシャフトに対してガイド部材が設けられているものがある（例えば、特許文献１参照）。
【０００３】
【特許文献１】特開２００２−１００２６０号公報
【０００４】
図８は、上記公報に記載されたスイッチ操作装置の構造を示す図である。この図によると、取付部材３１にスイッチ３２が固定され、スイッチ３２の内部に設けられた可動部３３を前方側より押圧可能に構成した操作部材３４が設けられている。そして、操作部材３４の周方向への動きを抑制するガイド部材３５が設けられている。
【０００５】
上記公報に示すスイッチ操作装置におけるガイド部材３５は、取付部材３１に固定されているが、図９に示すように、シャーシＣに形成された孔３６に取り付けられることによって、操作部材の周方向への動きを抑制するガイド部材３８もある。
【０００６】
この図９によると、ガイド部材３８は、シャーシＣに形成された孔３６を貫通する本体部４０と、本体部４０から延設されたフランジ部４１とからなり、フランジ部４１の上面４１ａがシャーシＣと両面テープ等によって接着されて、ガイド部材４０がシャーシＣに固定されている。ガイド部材３８の本体部４０の内周面側には、操作スイッチのシャフト４２が貫通自在に取り付けられ、図９における上下方向に進退可能とされている。
【発明の開示】
【発明が解決しようとする課題】
【０００７】
しかしながら、図９に示すガイド部材３８では、内周面側におけるシャフト４２の押圧操作方向における長さＢが比較的短いため、シャフト４２の押圧操作方向と直交する方向にがたつきがある場合、それを矯正させながらシャフト４２の進退動作を維持することは困難である。そこで、シャフト４２のがたつきを矯正するために、ガイド部材３８の内周面側の距離Ｂを長くすることが考えられるが、ガイド部材３８の寸法が図９における上下方向に長くなるため、フランジ部４１の上面４１ａとシャーシＣとの接着性を高める必要がある。したがって、フランジ部４１の上面４１ａの面積を広くとる必要があり、このガイド部材３９では、スペースのない箇所における取り付けには不向きであった。
【０００８】
一方、シャフト４２を支持する方法として、図１０に示すように、シャーシＣに切り起こし部４３のあるバーリング穴４４を形成し、その切り起こし部４３を利用してシャフト４２を支持するものもある。しかしながら、図１０に示すように、シャーシＣにバーリング穴４４を形成する場合には、内周面のエッジ部４５にばりが生じることが多い。そのため、エッジ部４５に生じたばりに、シャフト４２がひっかかり、シャフトの進退動作を妨げるおそれがある。特に、シャフト４２の直線性にばらつきがあるとき、その傾向が顕著に現れる。
【０００９】
本願発明は、上記した事情のもとで考え出されたものであって、筐体の貫通穴において進退移動するスイッチのシャフトをスムーズに移動させることができ、スイッチの操作性をより向上させることのできるガイド部材を提供することを、その課題とする。
【課題を解決するための手段】
【００１０】
上記の課題を解決するため、本願発明では、次の技術的手段を講じている。
【００１１】
本願発明によって提供されるガイド部材は、筐体に形成された貫通孔を貫通する操作スイッチのシャフトを支持するためのガイド部材であって、前記操作スイッチのシャフトを貫通させる略リング状の本体部と、前記本体部から前記シャフトの押圧操作方向に延び、かつ一端において外側に突出した爪部が形成された延出部とを有し、前記本体部の直径は、前記貫通孔の直径より大とされ、前記本体部の下面と、前記延出部の一端に形成された爪部の上面との間の距離は、前記筐体の厚みより大とされていることを特徴としている（請求項１）。
【００１２】
この発明によれば、本体部の直径は、貫通孔の直径より大とされ、延出部に形成された爪部が外側に突出しているので、本体部と爪部とによって筐体を挟み込むことにより、このガイド部材は、筐体に対して操作スイッチのシャフトの押圧操作方向と直交する方向に移動可能に取り付けられる。また、本体部の下面と、爪部の上面との間の長さは、筐体の厚みより大とされているので、シャフトの押圧操作方向においても移動可能に取り付けられる。したがって、シャフトが押圧操作されたとき、ガイド部材もシャフトとともに若干移動しながらシャフトを支持するため、シャフトの押圧操作方向における移動をスムーズなものにすることができる。
【００１３】
好ましい実施の形態によれば、前記延出部は、弾性変形可能に構成されているとよい（請求項２）。
【００１４】
他の好ましい実施の形態によれば、前記延出部の内面は、前記本体部の内周面と面一に形成されているとよい（請求項３）。
【００１５】
本願発明のその他の特徴及び利点は、添付図面を参照して以下に行う詳細な説明によって、より明らかとなろう。
【発明を実施するための最良の形態】
【００１６】
以下、本願発明の好ましい実施の形態を、添付図面を参照して具体的に説明する。
【００１７】
図１は、本願発明のガイド部材を示す外観図である。図２は、図１に示すガイド部材の外形図であり、(a) は上面図、(b) はＢ−Ｂ方向から見た断面図、(c) はＣ−Ｃ方向から見た断面図である。このガイド部材１は、例えばＤＶＤプレイヤ等のオーディオ機器に適用されるものである。より具体的には、このガイド部材１は、オーディオ機器等に設けられ、ユーザによって操作される操作スイッチ等の移動を支持するために用いられるものである。
【００１８】
ガイド部材１は、例えばＡＢＳ（アクリロニトリル・ブタジエン・スチレン）樹脂等からなる略リング状の本体部２を有している。本体部２の中央には、操作スイッチのシャフト２３（図３参照、後述）が貫通する略円形状の貫通穴３が形成されている。貫通穴３の直径は、シャフト２３の直径より大に形成されており、貫通穴３をシャフト２３がスムーズに移動する程度、さらに若干の遊びを有する程度に形成されている。なお、本体部２の形状及び貫通穴３は、略円形状に限るものではない。
【００１９】
本体部２の一端下面には、本体部２の外周面２ａに沿うようにして延出された一対の第１延出部５が本体部２と一体的に形成されている。一対の第１延出部５は、互いに対向するようにして延びており、各第１延出部５の内面が本体部２の貫通穴３の内表面と面一になるように形成されている。各第１延出部５の先端には外側に向かって突出した爪部６が形成されている。この爪部６は、後述するように、ガイド部材１がオーディオ機器等のシャーシＣに取り付けられた後、シャーシＣからガイド部材１が離脱しないようにするためのものである。
【００２０】
爪部６は、側面視で略台形状に形成され、第１延出部５の外側面と直交する面６ａを有している。この直交する面６ａは、ガイド部材１がシャーシＣに取り付けられると、シャーシＣの一部と当接又は離間する。
【００２１】
なお、この爪部６を有する第１延出部５は、本体部２において対向する位置に２つ形成されているが、第１延出部５の数及び爪部６の数は、これらの数に限定されるものではない。
【００２２】
第１延出部５は、本体部２と一体的に形成され、本体部２と同様、ＡＢＳ樹脂等によって形成されていることから内側に向かって弾性変形可能とされている。これにより、ガイド部材１がシャーシＣに取り付けられる際、シャーシＣに形成された穴（後述）に対してガイド部材１を押し込めば、第１延出部５が弾性変形してそれが穴を通過し、ガイド部材１を容易にシャーシＣに取り付けることができる。
【００２３】
本体部２の一端下面には、上記第１延出部５と同様の方向に延びた一対の第２延出部８が一体的に形成されている。各第２延出部８は、断面視略円弧状に形成されており、本体部２の一端下面における上記一対の第１延出部５が形成された箇所以外の箇所であって、互いに対向する位置に形成されている。これら第２延出部８の内面は、第１延出部５と同様に、本体部２の貫通穴３の内表面と面一になるように形成されている。
【００２４】
このように、第１延出部５及び第２延出部８の内面は、本体部２の内表面に沿って形成されているため、操作スイッチ２１のシャフト２３を包み込むようにしてその押圧操作方向において案内することができる。
【００２５】
なお、図１、図２(a) 、及び図２(c) によれば、本体部２及び片方の第２延出部８には、切り欠き９が形成されているが、これは、オーディオ機器のシャーシＣの形状に起因して加工されたものであり、このガイド部材１の本質的な特徴部分ではない。したがって、本体部２は、上面視で略真円状に形成されていてもよい。
【００２６】
また、上記第２延出部８は、本体部２の外周面よりやや内側の箇所から下方へ延びているため、図２(c) に示すように、結果的に、本体部２によってフランジ部１０が形成されるようになっている。実際には、フランジ部１０は、第１延出部５及び切り欠き９を除く本体部２の外周面にわたって形成されている。この本体部２のフランジ部１０によって、ガイド部材１は、シャーシＣに取り付けられた後、シャーシＣから離脱することが抑制される。
【００２７】
次に、上記ガイド部材１がオーディオ機器のシャーシＣに取り付けられる場合の状態について、図３及び図４を参照して説明する。
【００２８】
図３及び図４によると、本願発明のガイド部材１が適用される操作スイッチ２１は、スイッチ本体部２２と、シャフト２３とからなる。スイッチ本体部２２は、オーディオ機器のシャーシＣにビス止め等によって固定されたプリント基板２４上に半田付けされて実装されている。シャフト２３は、スイッチ本体部２２の一端から延びて設けられ、その中央部の周囲にフランジ２５が形成されている。このオーディオ装置は、操作スイッチ２１のシャフト２３の先端（ユーザの押圧操作部分）がシャーシＣの外側に所定距離だけ突出するように、プリント基板２４がオーディオ装置内部の適当な位置に位置決めされているとともに、スイッチ本体部２２がプリント基板２４上の適当な位置に位置決めされている。
【００２９】
ガイド部材１は、シャーシＣに形成された穴２６に嵌め込まれて取り付けられる。具体的には、図５に示すように、シャーシＣには、ガイド部材１が取り付けられ、かつシャフト２３の先端が挿通される穴２６が形成されている。穴２６は、略円形状に形成され、その直径は、ガイド部材１の本体部２の直径よりやや小とされている。また、穴２６には、ガイド部材１の第１延出部５の爪部６に対応する２つの切欠部２７が形成されている。
【００３０】
この穴２６にガイド部材１を取り付ける際、まず、第１延出部５の爪部６を両側から挟みこんで押し込むと（図５の白矢印Ｗ参照）、第１延出部５は弾性変形して内側に変移する。そのまま、第１延出部５の爪部６が穴２６の切欠部２７に沿うようにしてガイド部材１を穴２６に挿入する。ガイド部材１の本体部２がシャーシＣに当接するまで押し込むと、第１延出部５は元の状態に復元され、爪部６がシャーシＣの裏側に当接する状態となることにより、ガイド部材１は、シャーシＣに離脱せずに取り付けられる。その後、ガイド部材１の貫通穴３にシャフト２３が挿入されることにより、シャフト２３の先端が外部に突出するようにされる。このとき、シャフト２３の中央部から先端側に向かう外周面には、ガイド部材１がそれを包み込むようにして配される。
【００３１】
図６及び図７は、ガイド部材１がシャーシＣに取り付けられた後の状態を示す拡大図である。ガイド部材１は、シャーシＣに対して接着等によって固定されておらず、遊嵌されている。すなわち、本体部２のフランジ部１０及び上述した爪部６は、シャーシＣを挟みようにして配され、ガイド部材１のシャーシＣからの離脱を防止するとともに、ガイド部材１は、上面視において前後左右のあらゆる方向に若干の遊びをもつ程度に、シャーシＣに対して移動可能とされている。
【００３２】
また、図６及び図７に示すように、ガイド部材１がシャーシＣに取り付けられ、ユーザによって押圧操作がされない通常状態にあっては、本体部２の下面と、爪部６の上面６ａとの間の長さＨが、シャーシＣの板厚又は切り起こしにおける上下方向の長さより小とされている。すなわち、爪部６の上面６ａとシャーシＣとの間に、若干の隙間Ａが生じている。したがって、ガイド部材１は、シャフト２３の押圧操作方向においても移動可能とされる。
【００３３】
このとき、ユーザによって、操作スイッチ２１が押圧操作されると、シャフト２３が押圧操作方向に沿って進退されるが、ガイド部材１は、シャーシＣに対して遊嵌されているため、ガイド部材１自体も同方向に若干移動する。そのため、ガイド部材１とシャフト２３との摩擦を抑えながら、シャフト２３の押圧操作方向における移動をスムーズなものにすることができる。
【００３４】
また、従来の構成（図９参照）では、シャーシＣにガイド部材１を接着等により固定していたために、ガイド部材３８の本体部４０を延ばそうとすれば、接着面積を広げる必要があったが、本実施形態にかかるガイド部材１はシャーシＣに対して固定する必要がないので、例えば、操作スイッチ２１をオーディオ装置においてスペースに余裕がないような箇所に取り付けなければならないような場合であっても、十分に対応することができる。
【００３５】
また、本実施形態では、ガイド部材１の本体部２、第１延出部５、及び第２延出部８を必要に応じて延ばすことにより、シャフト２３の押圧操作方向の長さを長くすることができる。そのため、ガイド部材１は、押圧操作方向におけるシャフト２３をより一層包み込むようにして案内するとともにそれを支持することができ、シャフト２３の移動をより確実なものにすることができる。
【００３６】
また、例えば操作スイッチ２１のスイッチ本体部２２がプリント基板２４に良好に実装されておらず、本来進行すべきシャフト２３の軸方向からややずれて、やや斜め方向にシャフト２３が進退するような場合であっても、シャーシＣに対して遊嵌されているガイド部材１によってその斜め方向における進退動作を吸収することができる。
【００３７】
もちろん、この発明の範囲は上述した実施の形態に限定されるものではない。例えば、上記実施形態では、ガイド部材が取り付けられる機器としてＤＶＤプレイヤ等のオーディオ機器について説明したが、オーディオ機器に限るものではない。
【図面の簡単な説明】
【００３８】
【図１】本願発明のガイド部材を示す外観図である。
【図２】図１に示すガイド部材の外形図であり、(a) は上面図、(b) はＢ−Ｂ方向から見た断面図、(c) はＣ−Ｃ方向から見た断面図である。
【図３】ガイド部材をシャーシに取り付けた場合の一例を示す図である。
【図４】ガイド部材をシャーシに取り付けた場合の一例を示す図である。
【図５】ガイド部材をシャーシに取り付けるときの状態を示す図である。
【図６】ガイド部材がシャーシに取り付けられた後の状態を示す拡大図である。
【図７】ガイド部材がシャーシに取り付けられた後の状態を示す拡大図である。
【図８】従来のガイド部材の構造を示す図である。
【図９】従来の他のガイド部材の構造を示す図である。
【図１０】従来の、スイッチをシャーシに取り付ける場合の構造を示す図である。
【符号の説明】
【００３９】
１  ガイド部材
２  本体部
３  貫通孔
５  第１延出部
６  爪部
８  第２延出部
１０  フランジ
２１  操作スイッチ
２３  シャフト
２４  プリント基板
Ｃ  シャーシ
【図１】
2006012653.tif 000003
【図２】
2006012653.tif 000004
【図３】
2006012653.tif 000005
【図４】
2006012653.tif 000006
【図５】
2006012653.tif 000007
【図６】
2006012653.tif 000008
【図７】
2006012653.tif 000009
【図８】
2006012653.tif 000010
【図９】
2006012653.tif 000011
【図１０】
2006012653.tif 000012
【手続補正書】
【提出日】平成16年10月29日(2004.10.29)
【手続補正１】
【補正対象書類名】明細書
【補正対象項目名】０００２
【補正方法】変更
【補正の内容】
【０００２】
従来、例えばＤＶＤ（digital versatile disc）プレイヤ等のオーディオ装置においては、その動作の設定を行うための複数の操作スイッチが設けられている。操作スイッチは、例えばスイッチ本体部と、それから延びたシャフトとによって構成され、シャフトの先端がユーザによって押圧操作されることにより、シャフトの変位がスイッチ本体部に伝達され、スイッチ本体部において押圧されたことが検知されるようになっている。このような操作スイッチにおいては、押圧操作時の押圧操作方向と直交する方向におけるがたつきを抑制する目的でシャフトに対してガイド部材が設けられているものがある（例えば、特許文献１参照）。
【手続補正２】
【補正対象書類名】明細書
【補正対象項目名】０００６
【補正方法】変更
【補正の内容】
【０００６】
この図９によると、ガイド部材３８は、シャーシＣに形成された孔３６を貫通する本体部４０と、本体部４０から延設されたフランジ部４１とからなり、フランジ部４１の上面４１ａがシャーシＣと両面テープ等によって接着されて、ガイド部材３８がシャーシＣに固定されている。ガイド部材３８の本体部４０の内周面側には、操作スイッチのシャフト４２が貫通自在に取り付けられ、図９における上下方向に進退可能とされている。
【手続補正３】
【補正対象書類名】明細書
【補正対象項目名】０００７
【補正方法】変更
【補正の内容】
【０００７】
しかしながら、図９に示すガイド部材３８では、内周面側におけるシャフト４２の押圧操作方向における長さＢが比較的短いため、シャフト４２の押圧操作方向と直交する方向にがたつきがある場合、それを矯正させながらシャフト４２の進退動作を維持することは困難である。そこで、シャフト４２のがたつきを矯正するために、ガイド部材３８の内周面側の距離Ｂを長くすることが考えられるが、ガイド部材３８の寸法が図９における上下方向に長くなるため、フランジ部４１の上面４１ａとシャーシＣとの接着性を高める必要がある。したがって、フランジ部４１の上面４１ａの面積を広くとる必要があり、このガイド部材３８では、スペースのない箇所における取り付けには不向きであった。
【手続補正４】
【補正対象書類名】明細書
【補正対象項目名】００３１
【補正方法】変更
【補正の内容】
【００３１】
図６及び図７は、ガイド部材１がシャーシＣに取り付けられた後の状態を示す拡大図である。ガイド部材１は、シャーシＣに対して接着等によって固定されておらず、遊嵌されている。すなわち、本体部２のフランジ部１０及び上述した爪部６は、シャーシＣを挟むようにして配され、ガイド部材１のシャーシＣからの離脱を防止するとともに、ガイド部材１は、上面視において前後左右のあらゆる方向に若干の遊びをもつ程度に、シャーシＣに対して移動可能とされている。
【手続補正５】
【補正対象書類名】明細書
【補正対象項目名】００３２
【補正方法】変更
【補正の内容】
【００３２】
また、図６及び図７に示すように、ガイド部材１がシャーシＣに取り付けられ、ユーザによって押圧操作がされない通常状態にあっては、本体部２のフランジ部１０の下面と、爪部６の上面６ａとの間の長さＨが、シャーシＣの板厚又は切り起こしにおける上下方向の長さより大とされている。すなわち、爪部６の上面６ａとシャーシＣとの間に、若干の隙間Ａが生じている。したがって、ガイド部材１は、シャフト２３の押圧操作方向においても移動可能とされる。
【手続補正６】
【補正対象書類名】明細書
【補正対象項目名】００３４
【補正方法】変更
【補正の内容】
【００３４】
また、従来の構成（図９参照）では、シャーシＣにガイド部材３８を接着等により固定していたために、ガイド部材３８の本体部４０を延ばそうとすれば、接着面積を広げる必要があったが、本実施形態にかかるガイド部材１はシャーシＣに対して固定する必要がないので、例えば、操作スイッチ２１をオーディオ装置においてスペースに余裕がないような箇所に取り付けなければならないような場合であっても、十分に対応することができる。
【手続補正７】
【補正対象書類名】明細書
【補正対象項目名】００３９
【補正方法】変更
【補正の内容】
【００３９】
１  ガイド部材
２  本体部
３  貫通穴
５  第１延出部
６  爪部
８  第２延出部
１０  フランジ
２１  操作スイッチ
２３  シャフト
２４  プリント基板
Ｃ  シャーシ
【手続補正８】
【補正対象書類名】図面
【補正対象項目名】図５
【補正方法】変更
【補正の内容】
【図５】
2006012653.tif 000013